(57)【要約】  本発明は、互いに結合できる、容器（１）と、スプーン（３）と、スプーンを通すための穴の付いた蓋（２）と、スリーブ（４）と、を備える回転スプーン付き使い捨てカップに関する。スプーン（３）は、一端においてパドル状フレアと、他端においてＣ字状レイアウトを定める一連の屈曲部とを有するロッドを備え、Ｃ字状配置の中央部は中溝付きのリブ（１２）を有し、蓋（２）の穴を通り、端部はクランク機能が付されて突き出ている。パドルの部分と等しいか、それより大きい長さと幅を有する半径方向スリット（７）が蓋の穴から始まる。蓋はさらにその周辺に接して吸い口又は飲み領域（８）を有する。本発明は、コーヒー等の持ち帰りの熱い飲み物を飲むための喫茶店、ホテル及びレストラン施設において使用できる。
2009502283.tif 000002
【特許請求の範囲】
【請求項１】
互いに結合可能な、容器と、スプーンと、スプーンを通すための穴の付いた蓋と、スリーブと、を備える回転スプーン付き使い捨てカップにおいて、
前記スプーンが、一端においてパドル状フレアと、他端近傍においてＣ字状レイアウトを定める一連の屈曲部とを有するロッドと、を備え、前記Ｃ字状レイアウトの中央部が前記蓋の前記穴を通って前記端部がクランク機能を付されて突き出ており、前記蓋の前記穴から始まる半径方向スリットが前記パドルの部分と等しいかそれより大きい長さと幅を有することを特徴とする、回転スプーン付き使い捨てカップ。
【請求項２】
前記スプーンが、前記Ｃ字状レイアウトの中央部に前記穴の縁に対して適合可能な溝付きのリブを有することを特徴とする、請求項１記載の回転スプーン付き使い捨てカップ。
【請求項３】
前記蓋が、その外周に接する吸い口又は飲み領域をさらに有することを特徴とする、請求項１又は２に記載の回転スプーン付き使い捨てカップ。
【請求項４】
前記スリーブが、薄い台形の輪郭を有する薄層状の部分を含み、前記スリーブの前記台形の一方の短辺から矢印状のタブが延び、前記スリーブの前記台形の反対側の短辺の近傍にはタブを受容する大きさを有する横スリットを備えることを特徴とする、請求項１〜３のいずれか１項に記載の回転スプーン付き使い捨てカップ。
【発明の詳細な説明】
【技術分野】
【０００１】
本発明は、種々の喫茶店、ホテル及びレストラン施設において用いられるコーヒー等の飲み物を飲むための使い捨てカップであって、一方の側には飲み物を飲むための飲む領域を有し、他方の側にはスプーンを差し込んで液体を掻き混ぜることのできる穴を有する使い捨てカップに関する。
【背景技術】
【０００２】
今日、喫茶店、ホテル及びレストラン産業等の、特に例えばコーヒーのような持ち帰りの熱い飲み物を提供する多くの施設において、容器と、蓋と、スプーンと、提供された飲み物が非常に熱い場合に容器を覆うスリーブ、という４つの別個の部分により形成された使い捨てカップを見出すことができる。このカップにおいては、容器、蓋及びスリーブのみが互いに結合されており、スプーンは残りの部分とは独立である。この場合、液体が容器に出されて蓋が結合されてしまうと、中身を掻き混ぜるためあるいは容器に何らかの新しい物質を注ぐために前記蓋を取らなければならないため、多くの欠陥がある。
【発明の開示】
【発明が解決しようとする課題】
【０００３】
本発明は、請求項１により、回転スプーン付き使い捨てカップに関する。この方法及びシステムの好ましい実施例は従属クレームに規定される。
【課題を解決するための手段】
【０００４】
本使い捨てカップは、容器と、スプーンと、スプーンを通すための穴の付いた蓋と、スリーブと、を備え、これらの全ては互いに結合でき、好ましくは使い捨て可能な材料で作られる。
【０００５】
容器は、より心地よくかつより安全に使用者の手に嵌ることができる形状を有する。
【０００６】
スプーンは、一端においてパドル状フレアと、他端においてＣ字状レイアウトを定める一連の屈曲部と、を有するロッドを備える。Ｃ字状レイアウトの中央部は蓋の穴を通り、端部はクランク機能が付されて突き出ている。パドルの部分と等しいか、それより大きい長さと幅を有する半径方向スリットが蓋の穴から始まる。
【０００７】
スプーンのＣ字状範囲の中央部は、穴の縁に対して適合可能な中溝付きのリブを有していてもよい。
【０００８】
蓋は、その外周に接して吸い口又は飲み領域をさらに有していてもよい。
【０００９】
スリーブは、薄い台形の輪郭を有する薄層状の部分を含み、その一方の短辺から矢印状のタブが延び、反対側の短辺の近傍にはタブを受容する大きさを有する横スリットを備える。
【発明の効果】
【００１０】
本発明のカップ体は現存のカップに対し、多くの利点を備える。まず、スプーンが蓋の固定装置に結合されるために両方向に３６０°回転でき、容器の液体を完全に掻き混ぜることができる。さらにカップの形状によって、使用者の手の中で完全に、すなわちより自然にかつより安全に保持されることができる。スリーブもまた、カップがスモール、ミディアム又はラージサイズであるかに従ってその大きさに合わせることができ、施設又は関連会社の広告を付加できる。最後に飲む領域は「短いストロー」型形状を有しているために、心地よく安全に接触できるので使用者の口によくなじむ。
【発明を実施するための最良の形態】
【００１１】
本発明をよりよく理解するために、本発明の実施例を例示的かつ非限定的な例として、以下に非常に簡単に述べる。そのために添付図面を参照する。
【００１２】
図１を見ることにより、本発明の使い捨てカップ体を形成する要素、すなわち容器１、蓋２、スプーン３、及びスリーブ４が見出されるだろう。
【００１３】
図２において、使用者の手に、より心地よくかつより安全に嵌ることができる形状５を有する容器１が見出されるだろう。
【００１４】
図３に、スプーン３を清潔かつ容易に差し込むのに適した長さ及び幅の柔軟な開口を含む半径方向スリット７を有する、中心に丸い穴６を備えた蓋２を示す。中心穴６は、スプーンを固定するための固定形状に完全に合わせられる固定形状を有しており、両部分は、両者を取り付け手段に結合するまで、わずかな圧力によりぴったりと合っている。飲み穴、吸い口又は飲み領域８が蓋端部の一方に位置しており、わずかに隆起して使用者の口によりよく適合するための小さな穴を有する。
【００１５】
本発明を形成する第３の要素は、図４に表されるスプーン３である。スプーン３は、一方の端部にパドル状フレア１０を有するロッドであり、このパドル状フレア１０には液体の流れを容易にするように一連の小さい穴が作られている。スプーン３のもう一方の端部近傍はＣ字状レイアウトを定める一連の屈曲部を備えており、Ｃ字状レイアウトの中央部１１は蓋の穴６を通り、端部は突き出て、スプーンが蓋２に結合されたときにクランク機能を果たす。スプーン３のこの端部は、ユーザが自分の好みで曲げられるように柔軟な基体を有する。スプーンは前記中央部において、蓋２の穴６の縁に対し適合できる中溝１３の付いたリブ１２を含む保持形状を有する。
【００１６】
図５及び６にスリーブ４を示す。これは通常厚紙で作られ、中身が熱い場合に人の手がやけどしないように容器に巻き付けられるようになっている。前記スリーブ４は、薄い台形の輪郭を有する薄層状部分１５を含み、その一方の短辺から矢印状のタブ１６が延び、反対側の短辺の近傍にはタブ１６を受容する大きさを有する横スリットを備える。タブ１６はカップの大きさに従って定められたスリットに差し込まれる。
【００１７】
本発明を適用する過程は以下の通りである。スリーブ４が容器１に結合され、液体が容器に注がれる。次いで蓋２により容器１が閉じられ、蓋の中心部に備えられた開口にスプーン３が差し込まれ、蓋の穴６がもつ保持形状とスプーン３がもつ保持形状の結果として結合される。スプーン３は蓋２に固定されており、スプーンを３６０°回転して液状の中身を掻き混ぜられるようになっている。
【図面の簡単な説明】
【００１８】
【図１】全要素が既に組み立てられた状態の、本発明の使い捨てカップ体を示す。
【図２】本カップの容器を示す。
【図３】本カップの蓋を示す。
【図４】本カップのスプーンを示す。
【図５】巻き付けられていない本カップのスリーブを示す。
【図６】巻き付け過程にある本カップのスリーブを示す。
【符号の説明】
【００１９】
１  容器
２  蓋
３  スプーン
４  スリーブ
６  穴
７  スリット
８  吸い口又は飲み領域
１０  フレア
１１  中央部
１２  リブ
１３  中溝
１５  薄層状部分
１６  矢印状タブ
【図１】
2009502283.tif 000003
【図２】
2009502283.tif 000004
【図３】
2009502283.tif 000005
【図４】
2009502283.tif 000006
【図５】
2009502283.tif 000007
【図６】
2009502283.tif 000008
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
互いに結合可能な、容器と、スプーンと、スプーンを通すための穴の付いた蓋と、を備える回転スプーン付き使い捨てカップにおいて、
前記スプーンが、一端においてパドル状フレアと、他端近傍においてＣ字状レイアウトを定める一連の屈曲部とを有するロッドと、を備え、前記Ｃ字状レイアウトの中央部が前記蓋の前記穴を通って前記端部がクランク機能を付されて突き出ており、前記スプーンの前記中央部が前記穴の縁に対して適合可能な溝付きのリブを有し、前記蓋の前記穴から始まる半径方向スリットが前記パドルの部分と等しいかそれより大きい長さと幅を有し、
前記蓋が、その外周に接する吸い口又は飲み領域をさらに有することを特徴とする、回転スプーン付き使い捨てカップ。
【請求項２】
薄い台形の輪郭を有する薄層状の部分を含むスリーブをさらに備え、前記スリーブの前記台形の一方の短辺から矢印状のタブが延び、前記スリーブの前記台形の反対側の短辺の近傍にはタブを受容する大きさを有する横スリットを備えることを特徴とする、請求項１に記載の回転スプーン付き使い捨てカップ。
【手続補正２】
【補正対象書類名】明細書
【補正対象項目名】０００４
【補正方法】変更
【補正の内容】
【０００４】
本使い捨てカップは、容器と、スプーンと、スプーンを通すための穴の付いた蓋と、随意選択的にスリーブと、を備え、これらの全ては互いに結合でき、好ましくは使い捨て可能な材料で作られる。
【手続補正３】
【補正対象書類名】明細書
【補正対象項目名】０００７
【補正方法】変更
【補正の内容】
【０００７】
スプーンのＣ字状範囲の中央部は、穴の縁に対して適合可能な中溝付きのリブを有する。
【手続補正４】
【補正対象書類名】明細書
【補正対象項目名】０００８
【補正方法】変更
【補正の内容】
【０００８】
蓋は、その外周に接して吸い口又は飲み領域をさらに有する。
【手続補正５】
【補正対象書類名】明細書
【補正対象項目名】００１２
【補正方法】変更
【補正の内容】
【００１２】
図１を見ることにより、本発明の使い捨てカップ体を形成する要素、すなわち容器１、蓋２、スプーン３、及び随意選択的にスリーブ４が見出されるだろう。
【国際調査報告】
2009502283.tif 000009
2009502283.tif 000010
2009502283.tif 000011
2009502283.tif 000012
2009502283.tif 000013
2009502283.tif 000014
2009502283.tif 000015
2009502283.tif 000016